(57)【特許請求の範囲】
【請求項１】
少なくとも前面と一側面とに商品取り出し用の開口を備え、内部に、前面と側面との間にコーナー部を有する商品収容部を有し、前記商品収容部の後方かつ商品収容部の側端から内方に離れた部位に、商品収容部の下方に形成された冷気通路と連通する上向きのダクトを設け、前記冷気通路とダクトとのいずれかに冷却機とファンとを設け、前記商品収容部の外周縁部に設けた吸込口から吸い込んだ空気を、前記冷却機により冷却し、かつ前記冷気通路とダクトとを介して、ダクトの上端部に設けた吹出口より前記吸込口に向かって吹き出すことにより、商品取り出し用の開口にエアカーテンを形成するようにした冷蔵ショーケースにおいて、
前記ダクトの前面と側面との角部に、ダクト内空間と隔絶され、下端が前記冷気通路と連通するとともに、上端が閉塞されたコーナー部専用の上下方向を向くコーナーダクトを設け、このコーナーダクトの角部に、商品収容部のコーナー部に向かって冷気を吹き出す吹出孔を、上下方向に並べて設けたことを特徴とする冷蔵ショーケース。
【請求項２】
コーナーダクトの角部に、平面視においてダクトの前面及び側面と所要の角度をなし、かつ商品収容部のコーナー部に面する斜向面を設け、この斜向面に、前記商品収納部のコーナー部に向かって開口し、かつ棚板支持用のブラケットを係止するための係止孔を、上下方向に多数並べて設けたことを特徴とする請求項１記載の冷蔵ショーケース。
【請求項３】
吹出口の取付位置を、吸込口の取付位置よりも、ダクト側に後退させたことを特徴とする請求項１または２記載の冷蔵ショーケース。
【発明の詳細な説明】
【０００１】
【発明の属する技術分野】
本発明は、冷蔵ショーケースの商品収納部のコーナー部を、効率よく冷却しうるようにした冷蔵ショーケースに関する。
【０００２】
【従来の技術】
従来の冷蔵ショーケースには、商品取り出し口が前面のみに設けられた直線型のユニットと、同じく前面と一側面とに設けられたコーナー型のユニットとがあり、複数の直線型のユニットを横方向に一列に並べ、かつその列の両端にコーナー型のユニットを連結したものを、壁面に沿って配設したり、または、このように連結したものを背中合わせにして、フロアの中央に配設したりされる。
【０００３】
直線型のユニットでは、冷蔵ショーケースの天井部の前端部下面に冷気の吹出口を、また最下段に位置する陳列台の前端部上面に吸込口を、それぞれ横方向に一列に並ぶように設け、吹出口から吐出する冷気を、吸込口で吸引させることにより、商品取り出し口にエアカーテンを形成して、内部の商品収容部内の冷気が外部に放散するのを防止するようにしている。
【０００４】
また、コーナー型のユニットでも、同様の吹出口を、天井部の下面の前端部と側端部とに設け、かつ同様の吸込口を、陳列台の前縁上端と側縁上面とに設けて、前面と側面とにエアカーテンを形成するようにしている。
【０００５】
【発明が解決しようとする課題】
コーナー型のユニットでは、前面と側面とが開放しているので、その前面と側面とが交わるコーナー部分において、完全なエアカーテンが形成されにくく、その内側の商品収容部のコーナー部の冷却効果が低下するという問題がある。
【０００６】
特に、近年、外観を向上させるため、天井部の奥行きを小とするとともに、天井部の側端を陳列台の側面より内側に位置させて、冷蔵ショーケースを全体として、下部が拡がった山形をなすようにする傾向があるが、このようにすると、エアカーテンが益々商品収容部のコーナー部に到達しにくくなり、同部の冷却効果が著しく低下するおそれがある。
【０００７】
本発明は、従来の技術が有する上述のような問題点に鑑みてなされたもので、商品収納部のコーナー部を、効果的に冷却できるようにした冷蔵ショーケースを提供することを目的としている。
【０００８】
【課題を解決するための手段】
本発明によると、上記課題は、次のようにして解決される。
(１) 少なくとも前面と一側面とに商品取り出し用の開口を備え、内部に、前面と側面との間にコーナー部を有する商品収容部を有し、前記商品収容部の後方かつ商品収容部の側端から内方に離れた部位に、商品収容部の下方に形成された冷気通路と連通する上向きのダクトを設け、前記冷気通路とダクトとのいずれかに冷却機とファンとを設け、前記商品収容部の外周縁部に設けた吸込口から吸い込んだ空気を、前記冷却機により冷却し、かつ前記冷気通路とダクトとを介して、ダクトの上端部に設けた吹出口より前記吸込口に向かって吹き出すことにより、商品取り出し用の開口にエアカーテンを形成するようにした冷蔵ショーケースにおいて、前記ダクトの前面と側面との角部に、ダクト内空間と隔絶され、下端が前記冷気通路と連通するとともに、上端が閉塞されたコーナー部専用の上下方向を向くコーナーダクトを設け、このコーナーダクトの角部に、商品収容部のコーナー部に向かって冷気を吹き出す吹出孔を、上下方向に並べて設ける。
【０００９】
(２) 上記(１)項において、コーナーダクトの角部に、平面視においてダクトの前面及び側面と所要の角度をなし、かつ商品収容部のコーナー部に面する斜向面を設け、この斜向面に、前記商品収納部のコーナー部に向かって開口し、かつ棚板支持用のブラケットを係止するための係止孔を、上下方向に多数並べて設ける。
【００１０】
(３) 上記(１)または(２)項において、吹出口の取付位置を、吸込口の取付位置よりも、ダクト側に後退させる。
【００１１】
【発明の実施の形態】
以下、本発明の一実施形態を、添付図面を参照しながら説明する。
【００１２】
本実施形態の冷蔵ショーケース(１)の右端部は、前後対称形をなす２個のコーナーユニット(２)(２)によって構成されており、冷蔵ショーケース(１)の中間部は、複数個(図では２個のみ図示)の直線型の中間ユニット(３)(３)を、前後方向に背中合わせとして、左右方向に並べて構成されている。
【００１３】
次に、前側のコーナーユニット(２)について詳述する。
なお、後側のコーナーユニット(２)は、前側のコーナーユニット(２)と、前後対称をなすため、前側のコーナーユニット(２)と同じ符号を付すに止めて、その詳細な説明は省略する。
【００１４】
また、仮想線で示した中間ユニット(３)は、コーナーユニット(２)とは若干構成が異なるものの、コーナーユニット(２)と実質的に同一構成であるため、コーナーユニット(２)に対応する部材に、コーナーユニット(２)における符号に「′」を付けた符号を付すに止めて、その詳細な説明は省略する。
【００１５】
床面(４)に載置した基台(５)の上面には、上面、左側面、及び背面が開口する陳列台(６)が載置されており、陳列台(６)の前面板(6a)と右側面板(6b)と底板(6c)の間の空間は、商品収納部(７)となっている。
【００１６】
陳列台(６)における底板(6c)の下方は、冷却機とファン(いずれも図示略)が配設された冷気通路(８)となっており、底板(6c)における後部でかつ右側面板(6b)から左方に離れた部分には、平面視方形をなすとともに、前後寸法及び左右寸法が、底板(6c)のそれより短い、上方を向くダクト(９)が、冷気通路(８)と連通するようにして立設されている。
【００１７】
ダクト(９)の上端部には、平面視方形をなすとともに、前後寸法および左右寸法が、底板(6c)のそれより短い天井部(10)が設けられている。ダクト(９)の前面及び右側面には、多数の小孔(9a)が穿設されている。
【００１８】
天井部(10)の下面の前縁部と側縁部とには、多数の吹出口(11)が設けられ、この吹出口(11)から、斜め下方に吹き出された冷気は、陳列台(６)の前面板(6a)及び右側面板(6b)の上端部に形成された吸込口(12)から、冷気通路(８)に送られ、吹出口(11)と吸込口(12)との間に、冷気のエアカーテン(Ａ)を形成するようになっている(図３参照)。
【００１９】
図４及び図５に拡大して示すように、ダクト(９)の前面と右側面との角部に形成された、上下方向を向く平面視並列２段角形の受溝(13)には、上下方向を向くとともに、受溝(13)と補形をなす接合面を有するコーナー部専用の中空のコーナーダクト(14)が嵌合されている。
【００２０】
コーナーダクト(14)における前面と右側面との角部には、ダクト(９)の前面及び右側面と所要の角度をなし、かつ商品収納部(７)における前面と右側面との間に形成されたコーナー部(7a)に面する斜向面(15)が形成されている。
コーナーダクト(14)の下端は開口して、ダクト(９)の内部と連通しており、コーナーダクト(14)の上端は閉じている。
【００２１】
斜向面(15)の両側部には、後述するブラケット(21)を係止するための係止孔(16)が、上下方向に多数並べて穿設されており、斜向面(15)の中央部には、多数の円形の吹出孔(17)が、上下方向に並べて穿設されている。
【００２２】
ダクト(９)の右端部の後側のコーナー部に形成された、上下方向を向く角形の保持溝(18)には、上下方向を向く中空の角管状の支柱(19)が嵌合されている。
支柱(19)の右側面には、後述するブラケット(21)を係止するための多数の係止孔(20)が、上下方向に並べて穿設されている。
【００２３】
コーナーダクト(14)と支柱(19)の係止孔(16)(20)、及びダクト(９)の前面に上下方向に並べて設けられた多数の係止孔(図示略)における、それぞれ等高をなすものには、上下３段にわたって、ほぼ水平のブラケット(21)の基端側の係止片(図示略)が係合されており、各段のブラケット(21)には、それぞれ棚板(22)が支持されている。
各段の棚板(22)の前後方向及び左右方向の寸法は、下段のものほど上段のものより大きくしてある。
【００２４】
各段の棚板(22)は、ダクト(９)の前面の右端部を除く部分に取り付けられた、平面視長方形の方形板(23)と、ダクト(９)の右端部を囲むようにして取り付けられた、平面視ほぼＬ字形のコーナー棚板(24)とにより構成されている。
コーナー棚板(24)は、ダクト(９)の右側面に取り付けられた、平面視ほぼ台形のコーナー板(25)と、ダクト(９)の前面の右端部に取り付けられ、その斜辺部が、コーナー板(25)の斜辺部に当接する、コーナー板(25)と対称形をなすコーナー板(26)とからなっている。
【００２５】
以上説明した本実施形態では、商品収納部(７)のコーナー部(7a)側を向くコーナーダクト(14)の斜向面(15)に、冷気の吹出孔(17)を設けてあるので、吹出孔(17)から噴出する冷気が、商品収納部(７)のコーナー部(7a)側に向かうようになり、商品収納部(７)のコーナー部(7a)に、エアカーテン(Ａ)が形成されにくい場合でも、商品収納部(７)のコーナー部(7a)を、確実に冷却することができる。
【００２６】
また、本実施形態では、斜向面(15)に設けた係止孔(16)からの冷気が、商品収納部(７)のコーナー部(7a)側に向かうようになっているので、商品収納部(７)のコーナー部(7a)は、より確実に冷却される。
【００２７】
さらに、ダクト(９)の周囲に穿設した多数の小孔(9a)から、ダクト(９)内の冷気を商品収納部(７)内に排出し、商品収納部(７)全体を、効果的に冷却するようになっている。
【００２８】
なお、本発明は、上面が開口する方形の有底箱状のケースの底部中央に、ケース内の商品収容部の深さとほぼ同等の高さを有するダクトを立設し、このダクトの上端部の前後面及び左右の側面に設けた吹出口からケースの内側面上部に設けた吸込口に向かって冷気を吹き出させることにより、ほぼ水平のエアカーテンを形成することができるようにした、いわゆる平型の冷蔵ショーケースにも適用することができる。
【００２９】
【発明の効果】
本発明によれば、次のような効果を奏することができる。
(ａ)  請求項１記載の発明によれば、ダクトの角部に設けたコーナーダクトに、商品収納部のコーナー部側を向く冷気の吹出孔を、上下方向に並べて設けたので、この吹出孔から排出される冷気により、商品収納部のコーナー部を、確実に冷却することができる。
また、コーナーダクトを、ダクト内空間と隔絶された、コーナー部専用として設けてあるので、商品収納部のコーナー部に向かう冷気を、エアカーテン形成用の冷気から独立させて、コーナー部を強力に冷却することができる。
【００３０】
(ｂ)  請求項２記載の発明によれば、棚板支持用のブラケットを係止する係止孔が、商品収納部のコーナー部側を向いて上下方向に多数並べて穿設されているので、この係止孔からも、冷気が、商品収納部のコーナー部側に向かうようになり、商品収納部のコーナー部を、より確実に冷却できる。
【００３１】
(ｃ)  請求項３記載の発明によれば、冷蔵ショーケースの上方からも、商品収納部内の商品を目視しやすくなるので、顧客の購買意欲を向上させることができる。
【図面の簡単な説明】
【図１】  本発明の一実施形態の正面図である。
【図２】  同じく平面図である。
【図３】  同じく図１のIII−III線に沿う縦断側面図である。
【図４】  同じく図１のIV−IV線に沿う拡大横断平面図である。
【図５】  同じく最下段の棚板のコーナー部の拡大斜視図である。
【符号の説明】
(１)冷蔵ショーケース
(２)コーナーユニット
(３)中間ユニット
(４)床面
(５)基台
(６)陳列台
(6a)前面板
(6b)右側面板
(6c)底板
(７)商品収納部
(7a)コーナー部
(８)冷気通路
(９)ダクト
(9a)小孔
(10)天井部
(11)吹出口
(12)吸込口
(13)受溝
(14)コーナーダクト
(15)斜向面
(16)係止孔
(17)吹出孔
(18)保持溝
(19)支柱
(20)係止孔
(21)ブラケット
(22)棚板
(23)方形板
(24)コーナー棚板
(25)(26)コーナー板
(Ａ)エアカーテン
【図１】
0003998078.tif 000002
【図２】
0003998078.tif 000003
【図３】
0003998078.tif 000004
【図４】
0003998078.tif 000005
【図５】
0003998078.tif 000006